(57)【要約】【課題】水の処理状況を知らせることで、清潔性を維持することができる加湿装置を提供する。【解決手段】本発明の加湿装置は、タンクと、加湿部と、送風機と、タンクに貯蔵された水の交換を促すための報知を行う報知部と、空気の加湿度及び貯水量を検出する検出部と、検出部の検出結果に基づいて加湿部または送風機を制御する制御部と、所定動作の動作時間を示す時間情報を記録する記録部とを備える。また、加湿部を動作させる動作モードである第１モードと、加湿部を動作させず送風機による送風動作を行う動作モードである第２モードとの切り換え指示を受け付ける切換部を備える。制御部は、第２モードで動作している場合に、第２モードに移行してからの経過時間を時間情報に基づいて判定し、経過時間が予め定められた基準時間を超えた場合に報知を行うよう報知部を制御する。【選択図】図６
2013079754.tif 000002
【特許請求の範囲】
【請求項１】
水を貯蔵するタンクと、
前記タンクに貯蔵された水を用いて加湿を行う加湿部と、
前記タンクに貯蔵された水の交換を促すための報知を行う報知部と、
空気の加湿度と、前記タンクに貯蔵されている水の貯水量と、を検出する検出部と、
前記検出部の検出結果に基づいて前記加湿部を制御する制御部と、
予め定められた動作の動作時間を示す時間情報を記録する記録部と、
前記加湿部を動作させる動作モードである第１モードと、前記加湿部を除く装置部を動作させる動作モードである第２モードと、の切り換え指示を受け付ける切換部とを備え、
前記制御部は、前記第２モードで動作している場合に、前記第２モードに移行してからの経過時間を前記時間情報に基づいて判定し、前記経過時間が予め定められた基準時間を超えた場合に前記報知を行うよう前記報知部を制御すること
を特徴とする加湿装置。
【請求項２】
前記制御部は、前記経過時間の積算時間を前記時間情報に基づいて判定し、前記積算時間が前記基準時間を超えた場合に前記報知を行うよう前記報知部を制御すること
を特徴とする請求項１に記載の加湿装置。
【請求項３】
前記制御部は、前記貯水量と予め定められた基準水量とを比較し、前記貯水量が前記基準水量よりも少ないと判定された場合に、前記報知を行うよう前記報知部を制御すること
を特徴とする請求項２に記載の加湿装置。
【請求項４】
前記制御部は、前記経過時間または前記積算時間が予め定められた基準時間を超えた場合であっても、前記貯水量が前記基準水量よりも少ないと判定された場合は、前記報知を行わないよう前記報知部を制御すること
を特徴とする請求項３に記載の加湿装置。
【請求項５】
前記加湿装置は、気流を発生させる送風機を備え、
前記第２モードは、前記加湿部を動作させず前記送風機による送風動作を行う動作モードであること
を特徴とする請求項４に記載の加湿装置。
【請求項６】
前記記録部は、不揮発性メモリであること
を特徴とする請求項５に記載の加湿装置。
【請求項７】
前記報知部は、警報音を発する音響装置を含むこと
を特徴とする請求項６に記載の加湿装置。
【請求項８】
前記報知部は、ＬＥＤ（Light Emitting Diode）からなる発光装置を含むこと
を特徴とする請求項７に記載の加湿装置。
【発明の詳細な説明】
【技術分野】
【０００１】
本発明は、加湿装置に関するものであり、特に放置された水の処理を知らせる機能を備えた加湿装置に関するものである。
【背景技術】
【０００２】
一般的な加湿装置は、ファンモータ及び加湿フィルタを備えている。ファンモータが回転することによって、屋内の空気が加湿装置の内部へ吸入され、加湿フィルタを通過した後、加湿装置の内部から屋内へ送出される。
【０００３】
加湿フィルタは、自身を空気が通過した時に加湿する。具体的には、加湿装置の内部に吸入された空気が加湿フィルタを通過することによって、加湿フィルタにしみ込んでいる水分が蒸発し、加湿される。この加湿フィルタにしみ込ますための水が所定量を下回ると、給水アラームを鳴らし、給水が必要であることを知らせる。
【０００４】
また近年、正（プラス）及び／又は負（マイナス）のイオンにより、居住空間内の空気を浄化する技術が盛んに用いられている。例えば、加湿装置をはじめとするイオン発生装置では、内部の通風路の途中に正及び／又は負のイオンを発生させるイオン発生器を配設し、発生させたイオンを空気と共に外部の空間へ放出するようにしている。
【０００５】
イオンが放出された空間においては、セラチア菌、バチルス菌等の細菌に対して有意な除菌効果が得られる。また、空気中のイオンは、浮遊粒子を不活性化させると共に臭気成分を変性させる。これにより、居住空間全体の空気が清浄化される。
【０００６】
上記のようにイオン発生器を備えた加湿装置の中には、イオン発生器を単独運転させる機能を備えたものがある。イオン単独運転中は加湿動作を行わず、上述した効果を生むイオンを発生させる動作のみを行う。このような加湿装置は、部屋の湿度を検知して加湿するだけでなく、適度に湿度が保たれており加湿が不要である場合に、イオンのみを発生させて部屋を浄化するイオン発生器としても使うことができる。
【０００７】
上記に関連して特許文献１には、タンク内の水を排水した後、洗浄液でタンク内を洗浄して清浄に保つ他、水の分裂処理に先立って浄化処理を行う、或いはタンク内の水を循環しつつ浄化処理を行う負イオン発生装置が開示されている。
【先行技術文献】
【特許文献】
【０００８】
【特許文献１】特開平１０−３００１３９号公報
【発明の概要】
【発明が解決しようとする課題】
【０００９】
しかしながら、上記のような加湿機能とイオン発生機能との両方を備えた加湿装置においては、イオン発生機能のみが使用され続けた場合、タンク中の水が放置されるおそれがあった。特に長時間放置されると水が腐敗し、タンクの黄ばみや悪臭の原因となり、タンクの早期劣化に繋がる。また、加湿フィルタも劣化する可能性がある。
【００１０】
このような腐敗した水が放置された状況で加湿運転を行うと、非常に不衛生である。また、劣化したタンクや加湿フィルタは、ユーザが洗浄するか、或いは交換する必要がある。従って、短期間で劣化する程、交換の手間や費用が増加するという問題があった。
【００１１】
本発明は、上記問題に鑑みてなされたものであり、その主たる目的は、加湿機能を含む複数の機能を備えた加湿装置において、タンクの水が長時間放置されるのを回避することにより、装置内の清潔性を維持することが可能な加湿装置を提供することを目的とする。
【課題を解決するための手段】
【００１２】
上記目的を達成するために、本発明に係る加湿装置は、水を貯蔵するタンクと、前記タンクに貯蔵された水を用いて加湿を行う加湿部と、前記タンクに貯蔵された水の交換を促すための報知を行う報知部と、空気の加湿度と、前記タンクに貯蔵されている水の貯水量と、を検出する検出部と、前記検出部の検出結果に基づいて前記加湿部を制御する制御部と、予め定められた動作の動作時間を示す時間情報を記録する記録部と、前記加湿部を動作させる動作モードである第１モードと、前記加湿部を除く装置部を動作させる動作モードである第２モードと、の切り換え指示を受け付ける切換部とを備え、前記制御部は、前記第２モードで動作している場合に、前記第２モードに移行してからの経過時間を前記時間情報に基づいて判定し、前記経過時間が予め定められた基準時間を超えた場合に前記報知を行うよう前記報知部を制御することを特徴とする構成（第１の構成）とされている。
【００１３】
なお、上記第１の構成から成る加湿装置は、前記制御部が、前記経過時間の積算時間を前記時間情報に基づいて判定し、前記積算時間が前記基準時間を超えた場合に前記報知を行うよう前記報知部を制御することを特徴とする構成（第２の構成）にするとよい。
【００１４】
なお、上記第２の構成から成る加湿装置は、前記制御部が、前記貯水量と予め定められた基準水量とを比較し、前記貯水量が前記基準水量よりも少ないと判定された場合に、前記報知を行うよう前記報知部を制御することを特徴とする構成（第３の構成）にするとよい。
【００１５】
なお、上記第３の構成から成る加湿装置は、前記制御部が、前記経過時間または前記積算時間が予め定められた基準時間を超えた場合であっても、前記貯水量が前記基準水量よりも少ないと判定された場合は、前記報知を行わないよう前記報知部を制御することを特徴とする構成（第４の構成）にするとよい。
【００１６】
なお、上記第４の構成から成る加湿装置は、気流を発生させる送風機を備え、前記第２モードが、前記加湿部を動作させず前記送風機による送風動作を行う動作モードであることを特徴とする構成（第５の構成）にするとよい。
【００１７】
なお、上記第５の構成から成る加湿装置は、前記記録部が、不揮発性メモリであることを特徴とする構成（第６の構成）にするとよい。
【００１８】
なお、上記第６の構成から成る加湿装置は、前記報知部が、警報音を発する音響装置を含むことを特徴とする構成（第７の構成）にするとよい。
【００１９】
なお、上記第７の構成から成る加湿装置は、前記報知部が、ＬＥＤ（Light Emitting Diode）からなる発光装置を含むことを特徴とする構成（第８の構成）にするとよい。
【発明の効果】
【００２０】
本発明によれば、加湿部を動作させず送風機のみを単独運転させる第２モードの運転積算時間を計測し、運転積算時間が予め定められた基準時間を越えた時点で、報知を行う。このため、加湿部が動作しないことに起因してタンクの水が長期間放置されるのを、防止することができる。結果として、タンク内の水の清潔性を保ち、清潔な加湿運転を行うことができる。
［その他の実施の形態］
【図面の簡単な説明】
【００２１】
【図１】本発明の一実施形態に係る加湿装置の正面側斜視図である。
【図２】本発明の一実施形態に係る加湿装置の背面側斜視図である。
【図３】本発明の一実施形態に係る加湿装置の上面の一部を示す上面図である。
【図４】本発明の一実施形態に係る加湿装置の制御構成を示すブロック図である。
【図５】本発明の一実施形態に係る通常運転処理の手順を示すフローチャートである。
【図６】本発明の一実施形態に係る送風運転処理の手順を示すフローチャートである。
【発明を実施するための形態】
【００２２】
以下に、本発明の一実施形態に係る加湿装置について、図面を参照しつつ説明する。なお、ここで示す実施形態は一例であり、本発明はここに示す実施形態に限定されるものではない。
【００２３】
図１は、本発明の一実施形態に係る加湿装置の正面側斜視図、図２は、図１に示す加湿装置の背面側斜視図、図３は、図１に示す加湿装置の上面図である。
【００２４】
図１及び図２に示すように、加湿装置１は、前面キャビネット２ａと後面キャビネット２ｂとを含む本体ケーシング２を有する。前面キャビネット２ａは、本体ケーシング２の前面及び側面の一部を覆うように本体ケーシング２に取り付けられている。
【００２５】
本体ケーシング２の底面には、加湿装置１を持ち上げて搬送する際の利便性を考慮した、把手部５が設けられている。また本体ケーシング２に隣接して、加湿に用いる水を貯蔵するためのタンク３が設けられている。タンク３内に貯蔵された水の水位は、フロート６により計測可能となっている。
【００２６】
後面キャビネット２ｂの背面には、外部から空気を吸い込む吸込口９が設けられている。本体ケーシング２の上部には、吸込口９から吸い込んだ空気を加湿した後、外部に吹き出す吹出口４が設けてある。
【００２７】
また、本体ケーシング２の内部には、吸込口９から吸い込んだ空気を加湿する加湿フィルタ８（＝加湿部）と、不図示の送風機とが設けられている。送風機は、吸込口９から空気を吸い込み外部に吹き出すための気流を発生させるファンと、このファンを回転駆動するモータ１５（図４参照）等を備えている。
【００２８】
なお、前面キャビネット２ａは、加湿装置１の動作中に、送風機にて発生する騒音が加湿装置１の外部（室内）へ漏れ出すことを抑制するための遮音部材として機能する。また、加湿装置１の外観上の美観を確保する機能を有する。
【００２９】
背面側の吸込口９の上部には、温湿度センサ７（＝検出部）が設けられている。温湿度センサ７は、空気の温度と湿度を検出するものであり、空気中の水分が多いほど湿度が高い。
【００３０】
また図３に示すように、本体ケーシング２の上面には、パネル１１が設けられている。パネル１１には、図３に示すように、表示部１２、運転スイッチ１３、モード切換スイッチ１４（＝切換部）が配設されている。
【００３１】
表示部１２は、加湿装置１の各種動作状態を示す複数個のランプを有する。なお各ランプは、例えばＬＥＤ（Light Emitting Diode）等により発光する。図３に示すように表示部１２には、給水ランプ１２ａ（＝報知部）、水処理ランプ１２ｂ、湿度表示ランプ１２ｃ、加湿運転ランプ１２ｄ、及び送風運転ランプ１２ｅが含まれている。なお加湿運転ランプ１２ｄは複数設けられているが、風量の違いによって、対応するランプが点灯する。
【００３２】
モード切換スイッチ１４には、加湿運転切換スイッチ１４ａと、加湿運転しないモードで動作させるための送風運転スイッチ１４ｂとが含まれている。
【００３３】
次に、加湿装置１の制御構成を、図４を用いつつ説明する。図４は本発明の一実施形態に係る加湿装置の制御構成を示すブロック図である。
【００３４】
図４に示すように加湿装置１は、フロート６、温湿度センサ７、表示部１２、運転スイッチ１３、モード切換スイッチ１４、モータ１５、制御部１６、メモリ部１７（＝記録部、不揮発性メモリ）、及び音声出力部１８（＝報知部、音響装置）を備える。
【００３５】
制御構成の中枢となる制御部１６には、温湿度センサ７、運転スイッチ１３、及びモード切換スイッチ１４が接続され、各スイッチ及びセンサの信号が入力されている。また、制御部１６には、表示部１２、モータ１５、及び音声出力部１８が接続され、制御部１６から駆動信号が出力される。
【００３６】
また制御部１６には、メモリ部１７及び音声出力部１８が接続されている。制御部１６はメモリ部１７との間で情報の送受信を行う。音声出力部１８はブザー装置であり、例えば電磁石を利用して振動板を振動させることにより、ブザー音を発生させる。なお制御部１６、メモリ部１７、及び音声出力部１８は、本体ケーシング２に内蔵されている。
【００３７】
ただし音声出力部１８は、ブザー装置に限定されるものではない。例えば、音声出力部１８は、所定の音声、又はメロディが録音されている音声スピーカで構成され、録音されている音声等をスピーカから出力する構成でもよい。また、音声出力部１８は、出力音声を切り換え可能であってもよい。例えば、耳障りでユーザの注意を喚起しやすいブザー音の出力と、耳障りではなくユーザを不必要に驚かせるおそれのないメロディ等の出力とを、切り換え可能とした構成でもよい。
【００３８】
特に、音声出力部１８からガイダンス音声を出力したり、表示部１２に含まれるＬＥＤによる発光を行ったりすれば、加湿装置１を初めて使用するユーザであっても、水の処理を行う必要があることを容易に理解することができる。
【００３９】
制御部１６は加湿装置１の制御中枢である。制御部１６では、制御部１６が備えるＣＰＵ（Central Processing Unit）が、図示しないＲＡＭを作業領域として用い、図示しないＲＯＭに記憶されたコンピュータプログラムに従って加湿装置１の各部を制御し、各種処理を実行する。
【００４０】
例えば制御部１６は、送風機に接続されたモータ１５の回転数を変更制御する。これにより、吸込口９から吸い込み、加湿フィルタ８を通過させる空気の量を調節して、加湿能力を調整する。また制御部１６は、温湿度センサ７の検出結果に基づいて、空気の加湿度が所定加湿度よりも高いか否かを判定する。空気の加湿度が所定加湿度よりも高い場合には、室内の加湿度が十分であると判定する。空気の加湿度が所定加湿度以下である場合には、室内の加湿度が不足していると判定する。
【００４１】
制御部１６は、室内の加湿度が不足していると判定した場合に、モータ１５の回転数を増加させ、回転速度を速くすることで、加湿装置１の内部を通過する空気量を増加させる。これにより、加湿能力を高くし、加湿完了までの時間を短くする。一方、室内の加湿度が十分であると判定した場合には、モータ１５の回転数を低減し、回転速度を遅くすることで、加湿装置１の内部を通過する空気量を減少させる。これにより、加湿能力を低くする。
【００４２】
ユーザは、上記の加湿機能を動作させるモードである通常運転（＝第１モード）を所望する場合に、運転スイッチ１３の操作を行った後、モード切換スイッチ１４を操作する。また、通常運転の終了を所望する場合も、運転スイッチ１３の操作を行う。
【００４３】
運転スイッチ１３は、ユーザによって操作される都度、所定の制御信号（以下、「運転信号」という）を制御部１６へ出力する。加湿装置１が運転されていない状態で運転信号が入力された場合、制御部１６は加湿装置１の運転を開始する。運転されている状態で運転信号が入力された場合、制御部１６は、加湿装置１の運転を終了する。つまり、制御部１６は、運転スイッチ１３によって、加湿装置１の運転／停止を制御する。
【００４４】
加湿装置１は、上記の通常運転の他に、加湿機能を動作させず送風のみを行う送風運転（＝第２モード）を行う機能を有する。ユーザは、通常運転と送風運転との切り換えを所望する場合に、モード切換スイッチ１４の操作を行う。
【００４５】
モード切換スイッチ１４は、ユーザによって操作される都度、所定の制御信号（以下、「切換信号」という）を制御部１６へ出力する。制御部１６は、切換信号が入力される都度、通常運転と送風運転とを切り換える。モード切換スイッチ１４は、加湿運転切換スイッチ１４ａと送風運転スイッチ１４ｂとを含むように構成されている。
【００４６】
具体的には例えば、加湿装置１のデフォルト（運転開始時）には通常運転が設定されており、通常運転を送風運転へ切り換えたい場合に、ユーザは送風運転スイッチ１４ｂを操作する。送風運転に切り換えられた場合、加湿装置１は、イオンを発生させるイオン発生機として動作する。逆に送風運転を通常運転へ切り換えたい場合に、ユーザは加湿運転切換スイッチ１４ａを操作する。以上により、モード切換スイッチ１４は、本発明の一実施形態における切換部として機能する。
【００４７】
なお、通常運転から送風運転へ切り換えられた場合、制御部１６は、表示部１２に設けられているランプの内、送風運転スイッチ１４ｂの近傍に配されている送風運転ランプ１２ｅを点灯させる。一方、送風運転から通常運転へ切り換えられた場合、制御部１６は、送風運転ランプ１２ｅを消灯させる。つまり、制御部１６は、送風運転ランプ１２ｅのＯＮ／ＯＦＦによって、加湿装置１が通常運転及び送風運転の何れで動作しているかをユーザに報知する。
【００４８】
次に、加湿装置１で実行される運転処理の手順について、図５及び図６を用いつつ説明する。図５は、本発明の一実施形態に係る加湿装置１における、通常運転処理の手順を示すフローチャートである。また図６は、本発明の一実施形態に係る加湿装置１で実行される送風運転処理の手順を示すフローチャートである。
【００４９】
図５に示す処理フローは、加湿装置１が運転されていない状態から処理スタートするものとする。この状態において制御部１６は、運転スイッチ１３から運転信号が入力されたか否かを判定し（ステップＳ１１）、運転信号が入力されていない場合（ステップＳ１１：ＮＯ）、ステップＳ１１の処理を繰り返す。
【００５０】
運転信号が入力された場合（ステップＳ１１：ＹＥＳ）、制御部１６は、加湿装置１の運転を開始する（ステップＳ１２）。運転を開始すると、制御部１６は、デフォルトとして通常運転に設定し、各部の動作制御を行う。通常運転では、送風運転ランプ１２ｅは点灯させない。また通常運転では、温湿度センサ７の検出結果に基づいて、モータ１５の回転数を変更制御する。
【００５１】
次いで、制御部１６は、モード切換スイッチ１４から切換信号が入力されたか否かを判定し（ステップＳ１３）、切換信号が入力された場合（ステップＳ１３：ＹＥＳ）、制御部１６は、通常運転と送風運転とを切り換える（ステップＳ１４）。
【００５２】
具体的には、ステップＳ１４の切換処理実行時に通常運転に設定されており、且つ送風運転への切り換えを指示する切換信号が入力された場合、制御部１６は、送風運転に切り換え、図６に示す送風運転処理の実行を開始する。なおこの際、制御部１６は、表示部１２の送風運転ランプ１２ｅを点灯させる。
【００５３】
一方、ステップＳ１４の切換処理実行時に送風運転に設定されており、且つ通常運転への切り換えを指示する切換信号が入力された場合、制御部１６は、通常運転に切り換える。なおこの際、制御部１６は送風運転ランプ１２ｅを消灯させ、更に図６に示す送風運転処理の実行を中断し、通常運転の実行を開始する。
【００５４】
ステップＳ１４の処理が終了した場合、又は、切換信号が入力されていない場合（ステップＳ１３：ＮＯ）、制御部１６は、運転スイッチ１３から運転信号が入力されたか否かを判定し（ステップＳ１５）、入力されていない場合（ステップＳ１５：ＮＯ）、処理をステップＳ１３へ移す。
【００５５】
運転信号が入力された場合（ステップＳ１５：ＹＥＳ）、制御部１６は、加湿装置１の運転を終了する（ステップＳ１６）。具体的には、制御部１６は、表示部１２の点灯又は点滅している各種ランプを消灯させ、実行中の通常運転又は送風運転を停止する。ステップＳ１６の処理終了後、制御部１６は処理をステップＳ１１へ戻す。
【００５６】
なお、ステップＳ１６において加湿装置１の運転を終了する時点で送風運転に設定されていた場合、次回の運転開始時のステップＳ１２において、制御部１６が、通常運転ではなく送風運転をデフォルトとして設定するように構成してもよい。
【００５７】
次に、図６を用いて、送風運転について説明する。送風運転ではまず、タンク３に水が無い状態で誤って水処理を報知するのは望ましくないため、フロート６によってタンク３の水の有無を確認する（ステップＳ２１）。水が無い場合（ステップＳ２１：ＮＯ）、後述するステップＳ２５へ移る。
【００５８】
水が有る場合（ステップＳ２１：ＹＥＳ）、制御部１６は、送風運転の運転積算時間が、予め定められている基準時間、例えば一般的な水道水の保存期間である７２時間を、超えたか否かを判定する（ステップＳ２２）。
【００５９】
なお、本実施形態における運転積算時間は、送風運転のＯＮ／ＯＦＦにより断続的に計測された運転時間の積算時間をさすものとする。積算時間の算出は、例えば各種運転の運転時間を示す時間情報を随時、メモリ部１７に記録することにより行う。運転積算時間は、所定の条件が満たされた時点、例えばタンク３に貯蔵されている水が交換された時点で、リセットされるものとする。
【００６０】
運転積算時間が基準時間を超えた場合（ステップＳ２２：ＹＥＳ）、制御部１６は、音声出力部１８を作動させてブザー音を鳴らし、報知を行う（ステップＳ２３）。また、水処理ランプ１２ｂを点灯させる（ステップＳ２４）。以上のように音声出力部１８は、本発明の一実施形態における音響手段として機能する。
【００６１】
その後、制御部１６は、水処理がなされたか否かをフロート６を用いて判断する（ステップＳ２５）。具体的には例えば、タンク３より水が排出された場合や、新しい水に交換された場合等に、水処理がなされたとみなす。
【００６２】
水処理がなされていない場合（ステップＳ２５：ＮＯ）、ブザー音の出力（ステップＳ２３）とＬＥＤの点灯（ステップＳ２４）を継続して実行する。水処理がなされた場合（ステップＳ２５：ＹＥＳ）、報知を終了し（ステップＳ２６）、送風運転を引き続き実行する。
【００６３】
タンク３が空になった場合、または７２時間経過後でもタンク３に水がある場合、またはタンク３が正しく装着されていない状態でフロート６が作動した場合、制御部１６は所定の方法により報知を行う。
【００６４】
なお、上記実施形態では運転積算時間が７２時間を超えた時点で報知を行っているが、報知を開始してから所定時間フロート６が作動しなければ、水処理がなされたと判断し、運転積算時間をリセットする形態でもよい。この場合、送風運転中はタンク３が空になっても、報知を行わない。
【００６５】
以上説明したように、本実施形態の加湿装置１によれば、加湿を行わない送風運転で部屋を除菌している状態において、タンク３内の水の状況、特に長時間放置された水の存在を報知することができるため、清潔な加湿運転を行うことができる。
［その他の実施の形態］
【００６６】
以上、好ましい実施の形態及び実施例を挙げて本発明を説明したが、今回開示した実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【００６７】
従って本発明は、以下の形態にも適用可能である。
【００６８】
（Ａ）上記実施形態では、本発明の一実施形態として加湿装置１を例示しているが、本発明はこの形態に限定されるものではなく、これ以外の加湿を行う機器においても応用可能である。主に加湿空気調節機、加湿機能付きイオン発生機等、通常の装備として加湿をする機器に適用可能である。
【００６９】
（Ｂ）上記実施形態では、報知を行う場合に、音声出力部１８によってブザー音を発しているが、例えば、所定の警告メッセージを音声ガイダンスで発するようにしてもよい。また、強力な光を発する発光手段（ランプ等）を設け、ユーザに報知するようにしてもよい。
【００７０】
（Ｃ）上記実施形態では、Ｓ２２において運転積算時間と基準時間とを比較しているが、連続的に計測された送風運転の連続運転時間を基準時間と比較し、連続運転時間が基準時間を超える場合に報知を行うようにしてもよい。
【符号の説明】
【００７１】
１      加湿装置
２ａ    前面キャビネット
２ｂ    後面キャビネット
３ａ    タンク
３ｂ    タンク取手
３ｃ    タンクキャップ
４      吹出口
５      把手部
６      フロート（水検出部）
７      温湿度センサ（検出部）
８      加湿フィルタ（加湿部）
９      エアフィルタ
１０    トレー
１１    パネル
１２    表示部（報知部）
１２ａ  給水ランプ
１２ｂ  水処理ランプ
１２ｃ  湿度表示ランプ
１２ｄ  加湿運転ランプ
１２ｅ  送風運転ランプ
１３    運転スイッチ
１４    モード切換スイッチ（切換部）
１４ａ  加湿運転切換スイッチ
１４ｂ  送風運転スイッチ
１５    モータ  
１６    制御部
１７    メモリ部（記録部、不揮発性メモリ）
１８    音声出力部（報知部、音響装置）
【図１】
2013079754.tif 000003
【図２】
2013079754.tif 000004
【図３】
2013079754.tif 000005
【図４】
2013079754.tif 000006
【図５】
2013079754.tif 000007
【図６】
2013079754.tif 000008